(57)【要約】【課題】Ｗｅｂページの更新に応じて、更新後のＷｅｂページを自動的に印刷する印刷システムにおいて、ＷｅｂページのＵＲＬが変更されてもそのＷｅｂページの自動的な印刷を可能にする。【解決手段】メール監視手段１０１は、Ｗｅｂページが更新されたときに送信される更新通知メールを検出し、自動印刷データ１０５２として設定されているキーワードをメール本文から検索してＷｅｂページのＵＲＬを取得する。ＨＴＭＬデータ取得手段１０４は、メール監視手段１０１により取得されたＵＲＬでＷｅｂページデータを取得する。印刷手段１０７は、ＨＴＭＬデータ取得手段１０４により取得されたＷｅｂページデータを印刷する。【選択図】図１
2014211712.tif 000002
【特許請求の範囲】
【請求項１】
Ｗｅｂページが更新されたときに送信される更新通知メールを検知する更新通知メール検知手段と、
前記更新通知メールから前記ＷｅｂページのＵＲＬを検索するためのＵＲＬ検索キーワードが予め設定されたＵＲＬ検索キーワード記憶手段と、
前記更新通知メール検知手段により更新通知メールが検知されたとき、前記ＵＲＬ検索キーワード記憶手段に記憶されているＵＲＬ検索キーワードを使用してＵＲＬを取得するＵＲＬ取得手段と、
前記ＵＲＬ取得手段により取得されたＵＲＬを使用してＷｅｂページデータを取得するＷｅｂページ取得手段と、
前記Ｗｅｂページ取得手段で取得されたＷｅｂページデータを印刷する印刷手段と、
を有する印刷システム。
【請求項２】
請求項１に記載された印刷システムにおいて、
前記ＵＲＬ検索キーワードは、前記更新通知メールの本文からＵＲＬを検索するためのメール検索キーワードを含む印刷システム。
【請求項３】
請求項２に記載された印刷システムにおいて、
前記ＵＲＬ検索キーワードは、前記メール検索キーワードを使用して前記更新通知メールの本文から取得されたＵＲＬを有するＷｅｂページからＵＲＬを検索するためのＷｅｂページ検索キーワードを含む印刷システム。
【請求項４】
請求項１乃至３のいずれかに記載された印刷システムにおいて、
前記Ｗｅｂページ取得手段で取得されたＷｅｂページデータの印刷をすぐに行うか指示に応じて行うかを設定する手段を有する印刷システム。
【請求項５】
請求項１乃至３のいずれかに記載された印刷システムにおいて、
予め設定された認証データに基づいてユーザ認証を行う認証手段を有し、
前記印刷手段は、前記認証手段により認証されたときに印刷を行う印刷システム。
【請求項６】
請求項５に記載された印刷システムにおいて、
前記認証手段は、外部の携帯無線通信端末から認証データを取得する印刷システム。
【請求項７】
Ｗｅｂページが更新されたときに送信される更新通知メールを検知する更新通知メール検知工程と、
前記更新通知メール検知工程により更新通知メールが検知されたとき、予め設定された、前記更新通知メールから前記ＷｅｂページのＵＲＬを検索するためのＵＲＬ検索キーワードを使用してＵＲＬを取得するＵＲＬ取得工程と、
前記ＵＲＬ取得工程により取得されたＵＲＬを使用してＷｅｂページデータを取得するＷｅｂページ取得工程と、
前記Ｗｅｂページ取得工程で取得されたＷｅｂページデータを印刷する印刷工程と、
を有する印刷方法。
【請求項８】
Ｗｅｂページが更新されたときに送信される更新通知メールを検知する更新通知メール検知手段と、
前記更新通知メールから前記ＷｅｂページのＵＲＬを検索するためのＵＲＬ検索キーワードが予め設定されたＵＲＬ検索キーワード記憶手段と、
前記更新通知メール検知手段により更新通知メールが検知されたとき、前記ＵＲＬ検索キーワード記憶手段に記憶されているＵＲＬ検索キーワードを使用してＵＲＬを取得するＵＲＬ取得手段と、
前記ＵＲＬ取得手段により取得されたＵＲＬを使用してＷｅｂページデータを取得するＷｅｂページ取得手段と、
前記Ｗｅｂページ取得手段で取得されたＷｅｂページデータを印刷する印刷手段と、
を有する画像処理装置。
【発明の詳細な説明】
【技術分野】
【０００１】
本発明は、印刷システム、印刷方法、及び画像処理装置に関する。
【背景技術】
【０００２】
近年、パーソナルコンピュータが家庭に普及したことで、各企業では顧客がインターネットを介して月々の請求額や明細を確認できるビリングサービスの導入を始めている。毎月の請求書を郵送するコストが抑えられ、環境面では紙資源や輸送によるＣＯ２排出量が低減できるため、インターネットによるビリングサービスに切り替える企業は年々増加している。
【０００３】
しかしインターネットによるビリングサービスは、プル型のサービスとして提供されているため、プッシュ型サービスである紙媒体の郵送と同等の価値を得るためには、顧客はパーソナルコンピュータを起動し、ブラウザを開き、サイトにログインしてビリング情報を取得し、印刷する、といった一連の作業が必要である。このため、本サービスが増加した場合には作業負担の増大が予想される。
【０００４】
このようなＷｅｂページの印刷に関して、Ｗｅｂページの更新に応じて更新後のＷｅｂページを自動的に印刷する画像形成装置がある（特許文献１）。この画像形成装置では、Ｗｅｂページが更新されたときに送信される更新通知メールの識別情報（メールアドレス、件名に含まれる文字列）と、ビリング情報のＷｅｂページのＵＲＬとを対応付けて設定しておく。そして、更新通知メールが検知されたとき、上記の設定されているＵＲＬを使用して、ビリング情報のＷｅｂページにアクセスしてＷｅｂページデータを取得し、印刷する。
【０００５】
しかし、特許文献１に記載された画像形成装置では、更新通知メールの識別情報に対応付けて設定したＵＲＬが固定されているため、ビリング情報のＷｅｂページのＵＲＬが変更されたときにＷｅｂページを自動的に印刷できなくなる、という問題がある。
【０００６】
即ち、例えばビリング情報のＵＲＬの末尾に月の情報が付加されるようなＵＲＬを使っている場合は毎月ＵＲＬが変わってしまうため、ＵＲＬを設定した後の月代わりによりビリング情報のＷｅｂページにアクセスできなくなり、その結果Ｗｅｂページを印刷できなくなる、という問題がある。また、ビリング情報サイトは運営会社変更や社名変更などの理由で、ページ構成は変わらないがＵＲＬのみ変更される場合がある。このような場合も従来の固定ＵＲＬの設定方式ではＷｅｂページを印刷できなくなる、という問題がある。
【発明の概要】
【発明が解決しようとする課題】
【０００７】
本発明は、このような問題を解決するためになされたものであり、その目的は、Ｗｅｂページの更新に応じて更新後のＷｅｂページを自動的に印刷する印刷システムにおいて、ＷｅｂページのＵＲＬが変更されても、そのＷｅｂページの自動的な印刷を可能にすることである。
【課題を解決するための手段】
【０００８】
本発明に係る印刷システムは、Ｗｅｂページが更新されたときに送信される更新通知メールを検知する更新通知メール検知手段と、前記更新通知メールから前記ＷｅｂページのＵＲＬを検索するためのＵＲＬ検索キーワードが予め設定されたＵＲＬ検索キーワード記憶手段と、前記更新通知メール検知手段により更新通知メールが検知されたとき、前記ＵＲＬ検索キーワード記憶手段に記憶されているＵＲＬ検索キーワードを使用してＵＲＬを取得するＵＲＬ取得手段と、前記ＵＲＬ取得手段により取得されたＵＲＬを使用してＷｅｂページデータを取得するＷｅｂページ取得手段と、前記Ｗｅｂページ取得手段で取得されたＷｅｂページデータを印刷する印刷手段と、を有する印刷システムである。
【発明の効果】
【０００９】
本発明によれば、Ｗｅｂページの更新に応じて更新後のＷｅｂページを自動的に印刷する印刷システムにおいて、ＷｅｂページのＵＲＬが変更されてもそのＷｅｂページの自動的な印刷が可能である。
【図面の簡単な説明】
【００１０】
【図１】本発明の第１の実施形態に係る印刷システムの構成について説明するためのブロック図である。
【図２】図１における自動印刷設定ソフトの自動印刷一覧画面を示す図である。
【図３】図１における自動印刷設定ソフトの自動印刷設定画面を示す図である。
【図４】図１における自動印刷設定ソフトにより実行される自動印刷設定処理を示すフローチャートである。
【図５】図４に示す自動印刷設定処理により設定される自動印刷データを示す図である。
【図６】図１におけるメール監視手段により実行されるメール監視処理を示すフローチャートである。
【図７】図１におけるＨＴＭＬデータ取得手段及び画像生成手段により実行されるＨＴＭＬデータ取得及び画像生成処理を示すフローチャートである。
【図８】図１における画像形成装置の印刷ボタンを示す図である。
【図９】図１における画像形成装置の印刷開始機能の起動後の処理を示すフローチャートである。
【図１０】本発明の第２の実施形態に係る印刷システムの概略構成について説明するための図である。
【図１１】本発明の第２の実施形態に係る印刷システムの構成について説明するためのブロック図である。
【図１２】図１１における自動印刷設定ソフトの自動印刷一覧画面を示す図である。
【図１３】図１１における自動印刷設定ソフトの自動印刷設定画面を示す図である。
【図１４】図１１における自動印刷設定ソフトにより実行される自動印刷設定処理を示すフローチャートである。
【図１５】図１４に示す自動印刷設定処理により設定される自動印刷データを示す図である。
【図１６】図１１におけるメール監視手段により実行されるメール監視処理を示すフローチャートである。
【図１７】図１１におけるＨＴＭＬデータ取得手段及び画像生成手段により実行されるＨＴＭＬデータ取得及び画像生成処理を示すフローチャートである。
【図１８】図１１におけるスマートデバイスを使用した印刷フローを示すフローチャートである。
【発明を実施するための形態】
【００１１】
以下、本発明の実施形態について図面を参照して説明する。
［第１の実施形態］
〈印刷システムの構成〉
図１は、本発明の第１の実施形態に係る印刷システムの構成について説明するためのブロック図である。
【００１２】
本実施形態に係る印刷システムは、画像処理装置としての画像形成装置１、及びコンピュータ２からなる。画像形成装置１及びコンピュータ２はＬＡＮなどの通信媒体３に接続されており、通信媒体３に接続されたインターネット網４上のインターネットサーバ５と通信を行うことができる。インターネットサーバ５は、インターネット網４上のサーバを指すが、本実施形態ではＷｅｂサーバ及びメールサーバを含むサーバである。
【００１３】
画像形成装置１は、メール監視手段１０１、時計機能１０２、インターフェース１０３、ＨＴＭＬデータ取得手段１０４、データ記憶手段１０５、画像生成手段１０６、印刷手段１０７、及び印刷開始機能１０８で構成されている。コンピュータ２は、自動印刷設定ソフト２００、基本ソフト２１０、及びインターフェース２１１で構成されている。インターネットサーバ５の物理的構成は特に指定しない。
【００１４】
この印刷システムにおける自動印刷設定は、画像形成装置１のデータ記憶手段１０５内に自動印刷データ１０５２として格納される。この自動印刷設定は、コンピュータ２の自動印刷設定ソフト２００によって設定される。
【００１５】
自動印刷設定ソフト２００は自動印刷一覧画面２０１、自動印刷設定画面２０２、データ通信機能２０３から構成される。自動印刷一覧画面２０１は設定済みの自動印刷設定一覧を表示するユーザインターフェースであり、自動印刷設定画面２０２は新規の設定および編集を行うユーザインターフェースである。データ通信機能２０３は、コンピュータ２の基本ソフト２１０、インターフェース２１１を経由し、画像形成装置１のインターフェース１０３と通信を行って、自動印刷データ１０５２の取得と格納を行う。
【００１６】
画像形成装置１では設定された自動印刷データ１０５２の内容に従って、メール監視手段１０１が更新通知メールの監視を行う。メール監視手段１０１は時計機能１０２より時刻を取得し、自動印刷データ１０５２に設定されたメールチェック間隔が経過していたら、インターフェース１０３、通信媒体３、及びインターネット網４を経由してインターネットサーバ５のメールをチェックする。
【００１７】
チェックの結果、受信メールが自動印刷データ１０５２で指定した条件を満たす更新通知メールであったら、自動印刷データ１０５２で指定されている、更新通知メールからビリング情報ＵＲＬを探すためのＵＲＬ検索キーワード（メール検索キーワード）を取得する。そして、このキーワードを使用して更新通知メールのキーワード検索を行い、キーワードに一致するＵＲＬを更新通知メールから取得し、このＵＲＬを使用してＨＴＭＬデータ取得手段１０４にＷｅｂページ取得要求を通知する。メール監視手段１０１は本発明に係る更新通知メール検知手段及びＵＲＬ取得手段に対応し、自動印刷データ１０５２を保持しているデータ記憶手段１０５は本発明に係るＵＲＬ検索キーワード記憶手段に対応する。
【００１８】
ＨＴＭＬデータ取得手段１０４は、更新通知メールから取得したＵＲＬによって、インターフェース１０３、通信媒体３、及びインターネット網４を経由してインターネットサーバ５からＷｅｂページデータを取得して、画像生成手段１０６へ渡す。ＨＴＭＬデータ取得手段１０４は本発明に係るＷｅｂページ取得手段に対応する。
【００１９】
更新通知メールに表記してあるＵＲＬがビリング情報への直接的なＵＲＬではなくポータルなＷｅｂページのＵＲＬの場合は、Ｗｅｂページからビリング情報のＷｅｂページのＵＲＬを探すためのＵＲＬ検索キーワード（Ｗｅｂページ検索キーワード）が自動印刷データ１０５２に設定されているので、このキーワードを使用する。
【００２０】
即ち、Ｗｅｂページ検索キーワードを自動印刷データ１０５２から取得し、このキーワードを使用して、ポータルなＷｅｂページのキーワード検索を行い、キーワードに一致するＵＲＬをポータルなＷｅｂページから取得し、さらにこのＵＲＬを有するＷｅｂページを検索してＷｅｂページデータを取得し、画像生成手段１０６へ渡す。
【００２１】
画像生成手段１０６は印刷データを生成してデータ記憶手段１０５へ印刷データ１０５１を格納する。自動印刷データ１０５２で印刷が指定されている場合は、画像生成手段１０６は印刷手段１０７へ印刷通知を行う。自動印刷データ１０５２でデータ保持が指定されている場合は、ユーザによって印刷開始機能１０８が起動された場合に、印刷開始機能１０８が印刷手段１０７へ印刷通知を行う。印刷手段１０７は印刷通知に応じて印刷データ１０５１を印刷する。
【００２２】
〈自動印刷一覧画面〉
図２は、図１における自動印刷設定ソフト２００の自動印刷一覧画面２０１を示す図である。
【００２３】
自動印刷一覧画面２０１は、画像形成装置１に設定されている自動印刷設定の一覧をコンピュータ２のディスプレイ（図示せず）に表示する。自動印刷一覧２０１１では、メール送信者、アクション、ステータスの各項目を表示しており、これらの項目は自動印刷データ１０５２の設定内容である。
【００２４】
メール送信者は、メール監視手段１０１がメールをチェックするときの識別条件として使用する、メール送信者の設定状態を示している。アクションは、更新通知メール受信時すぐに印刷を実行するのか、又は印刷データを保存しておいて後でユーザの指示によって印刷するのかの設定状態を示している。
【００２５】
ステータスは、画像形成装置１の自動印刷の監視状態を示している。監視起動中は、更新通知メールの監視が継続されていることを示している。監視停止中は、指定された更新通知メールの着信を判断して、メールの監視が停止していることを示しており、さらに取得したＷｅｂページの印刷済またはデータ保存済の状態を示している。
【００２６】
新規ボタン２０１２によって、自動印刷設定画面２０２（図３）を表示して、新規の自動印刷データの入力が行える。編集ボタン２０１３によって、自動印刷設定画面２０２に該当行の設定内容が表示され、該当行の選択と編集が行える。閉じるボタン２０１４によって、自動印刷一覧画面２０１を終了する。
【００２７】
〈自動印刷設定画面〉
図３は、図１における自動印刷設定ソフト２００の自動印刷設定画面２０２を示す図である。
【００２８】
自動印刷設定画面２０２では、自動印刷を行うために必要な、メールアカウント情報、メールルール、アクション、Ｗｅｂページ情報の設定または編集を行う。ここで設定される情報は一例であり他の項目があってもよい。
【００２９】
メールアカウント情報は、受信メールサーバ、アカウント名、パスワードから構成される。受信メールサーバ設定欄２０２００には、メールが格納されているＰＯＰサーバのアドレスが設定される。アカウント名設定欄２０２０１、パスワード設定欄２０２０２には、それぞれＰＯＰサーバへのアクセスに必要なアカウント名、パスワードが設定される。
【００３０】
メールルールは、メール送信者、件名に含まれる文字列、ＵＲＬ検索キーワード、メールチェック方法、及びメールチェック間隔から構成され、自動印刷を行うためのメールの識別情報や監視方法が設定される。
【００３１】
「メール送信者」の設定欄２０２１０には、更新通知メールの識別情報として、送信者のメールアドレスが設定される。「件名に含まれる文字列」の設定欄２０２１１には、更新通知メールの識別情報として、メールの件名に含まれる文字列が設定される。「ＵＲＬ検索キーワード」の設定欄２０２１２には、更新通知メールからビリング情報ＵＲＬを探すための識別情報（メール検索キーワード）として、メールの本文に含まれる文字列が設定される。
【００３２】
一般的にＨＴＭＬページのリンクは、例えば「明細ページへログイン」の文字に下線を付したハイパーリンクとなっている。ＵＲＬ検索キーワード２０２１２にはこの「明細ページへログイン」というハイパーリンクの文字列を設定する。
【００３３】
ハイパーリンクのＨＴＭＬ表記は、
<a href = “http://www.ricoh.co.jp/billing”>明細ページへログイン</a>
のように、アンカータグ（<a>）とその属性ｈｒｅｆで示されるリンク先で記述されている。本システムはアンカータグ（<a>）の文字列部分「明細ページへログイン」をキーワードとしてＷｅｂページを検索することによってｈｒｅｆ属性で示されるリンク先のＵＲＬであるhttp://www.ricoh.co.jp/billingを取得する。
【００３４】
メールチェック方法は、更新通知メールの監視周期と、チェックする間隔から構成されている。「毎月」のラジオボタン２０２１３は自動印刷を毎月行う設定であり、毎月１日のＡＭ０：００から更新通知メールの監視を開始する。「毎週」のラジオボタン２０２１４は自動印刷を毎週行う設定であり、毎週月曜日のＡＭ０：００から更新通知メールの監視を開始する。メールチェック間隔２０２１５は、画像形成装置１が更新通知メールをチェックする間隔であり、分単位で設定される。
【００３５】
アクションとしては、更新通知メールを受信した場合の画像形成装置１の挙動が設定される。「すぐに印刷」のラジオボタン２０２２０が選択された場合は、印刷がすぐに実行される。「データ保持」のラジオボタン２０２２１が選択された場合は、データ保持のみ行われ、印刷は実行されない。
【００３６】
「Ｗｅｂページ情報」は、更新通知メールに表記されているＵＲＬがポータルなＷｅｂページのＵＲＬの場合に、ＨＴＭＬデータ取得手段１０４がポータルなＷｅｂページからビリング情報のＷｅｂページを検索するための情報である。「ＵＲＬ検索キーワード１」の設定欄２０２３０、「ＵＲＬ検索キーワード２」の設定欄２０２３１、「ＵＲＬ検索キーワード３」の設定欄２０２３２には、Ｗｅｂページからビリング情報のＷｅｂページのＵＲＬを探すためのＵＲＬ検索キーワード（Ｗｅｂページ検索キーワード）が設定される。「ログインアカウント」の設定欄２０２３３、「ログインパスワード」の設定欄２０２３４には、Ｗｅｂページ参照時のユーザ認証のために必要なログイン情報が設定される。
【００３７】
ＯＫボタン２０２４０によって、自動印刷設定画面２０２の設定内容を画像形成装置１の自動印刷データ１０５２に保存して終了する。キャンセルボタン２０２４１によって、自動印刷設定画面２０２の設定内容は保存せずに終了する。
【００３８】
〈自動印刷設定処理〉
図４は、図１における自動印刷設定ソフト２００により実行される自動印刷設定処理を示すフローチャートであり、図５は、図４に示す自動印刷設定処理により設定される自動印刷データを示す図である。この自動印刷設定処理は、自動印刷設定ソフト２００の自動印刷設定画面２０２でＯＫボタン２０２４０が押された時にデータ通信機能２０３が実行する処理である。
【００３９】
まず、データ通信機能２０３は、画像形成装置１のデータ記憶手段１０５内の自動印刷データ１０５２に、「自動印刷設定画面２０２の設定内容（データ１の設定内容）」１０５２１を保存する（ステップＳ１０１）。次に、データ通信機能２０３は、画像形成装置１のデータ記憶手段１０５内の自動印刷データ１０５２に、データ１の「メールチェック時刻」１０５２２として、現在時刻＋メールチェック間隔２０２１５をセットする（ステップＳ１０２）。次いで、データ通信機能２０３は、画像形成装置１のデータ記憶手段１０５内の自動印刷データ１０５２に、データ１の「ステータス：監視起動中」１０５２３をセットする（ステップＳ１０３）。
【００４０】
〈メール監視処理〉
図６は、図１におけるメール監視手段１０１により実行されるメール監視処理を示すフローチャートである。この処理は本発明に係る更新通知メール検知工程及びＵＲＬ取得工程に対応する。
【００４１】
まず、メール監視手段１０１は、データ記憶手段１０５から、自動印刷データ１０５２を一つ取り出す（ステップＳ２０１）。次に、取り出した自動印刷データ１０５２のステータスが監視起動中か否かを判定する（ステップＳ２０２）。
【００４２】
判定の結果、監視起動中でない場合は（ステップＳ２０２：Ｎｏ）、ステップＳ２１０に移行する。監視起動中の場合は（ステップＳ２０２：Ｙｅｓ）、時計機能１０２から現在時刻を取得し（ステップＳ２０３）、現在時刻とメールチェック時刻を比較して、現在時刻がメールチェック時刻か否かを判定する（ステップＳ２０４）。
【００４３】
現在時刻がメールチェック時刻でない場合は（ステップＳ２０４：Ｎｏ）、ステップＳ２１０に移行する。現在時刻がメールチェック時刻の場合は（ステップＳ２０４：Ｙｅｓ）、メールを取得し（ステップＳ２０５）、取得したメールが自動印刷データ１０５２に設定されたメールルールと一致するか否かを判定する（ステップＳ２０６）。
【００４４】
判定の結果、一致しない場合は（ステップＳ２０６：Ｎｏ）、メールチェック時刻として、現在時刻＋メールチェック間隔２０２１５を再度セットし（ステップＳ２０７）、ステップＳ２１０に移行する。一致した場合は（ステップＳ２０６：Ｙｅｓ）、メール検索キーワードからＵＲＬを取得できたか否かを判定する（ステップＳ２０８）。即ち、例えば図３における「ＵＲＬ検索キーワード」の設定欄２０２１２に設定されている「明細ページへログイン」からＵＲＬを取得できたか否かを判定する。
【００４５】
判定の結果、メール検索キーワードからＵＲＬを取得ができなかった場合は（ステップＳ２０８：Ｎｏ）、メールチェック時刻として、現在時刻＋メールチェック間隔２０２１５を再度セットし（ステップＳ２０７）、ステップＳ２１０に移行する。取得できた場合は（ステップＳ２０８：Ｙｅｓ）、ＨＴＭＬデータ取得手段１０４に、データ取得要求を通知し（ステップＳ２０９）、ステップＳ２１０に移行する。
【００４６】
ステップＳ２１０では、全ての自動印刷データ１０５２のチェックが完了したか否かを判定し、完了していない場合は（ステップＳ２１０：Ｎｏ）、ステップＳ２０１に移行して次の自動印刷データ１０５２の処理を行う。完了した場合は（ステップＳ２１０：Ｙｅｓ）、この図に示すメール監視処理を完了する。
【００４７】
〈ＨＴＭＬデータ取得及び画像生成処理〉
図７は、図１におけるＨＴＭＬデータ取得手段１０４及び画像生成手段１０６により実行されるＨＴＭＬデータ取得及び画像生成処理を示すフローチャートである。この処理は本発明に係るＷｅｂページ取得工程に対応する。
【００４８】
まず、メール監視手段１０１からのＨＴＭＬ取得要求が有るか否かを判定する（ステップＳ３０１）。判定の結果、ＨＴＭＬ取得要求がない場合は（ステップＳ３０１：Ｎｏ）、何もせずにこの図に示す処理を完了し、ＨＴＭＬ取得要求があった場合は（ステップＳ３０１：Ｙｅｓ）、ステップＳ３０２に進む。
【００４９】
ステップＳ３０２では、ＨＴＭＬデータ取得手段１０４は、ＨＴＭＬ取得要求で指定されたメールからのキーワード検索で取得したＵＲＬ（図６のステップＳ２０８で取得したＵＲＬ）でＷｅｂページデータを取得する。（ステップＳ３０２）。
【００５０】
次に、ＨＴＭＬデータ取得手段１０４は、自動印刷データ１０５２の「Ｗｅｂページ情報」にＵＲＬ検索キーワード（Ｗｅｂページ検索キーワード）が設定されているか否かを判定する（ステップＳ３０３）。判定の結果、設定されていない場合は（ステップＳ３０３：Ｎｏ）、ステップＳ３０２で取得したＷｅｂページデータがポータルなＷｅｂページのＷｅｂページデータではなくビリング情報のＷｅｂページのＷｅｂページデータであるため、そのＷｅｂページデータを画像生成手段１０６に渡し、印刷処理に移行する（ステップＳ３０４）。
【００５１】
設定されている場合は（ステップＳ３０３：Ｙｅｓ）、ステップＳ３０２で取得したＷｅｂページデータがビリング情報のＷｅｂページのＷｅｂページデータではなくポータルなＷｅｂページのＷｅｂページデータであるため、Ｗｅｂページ検索キーワードを使ってＷｅｂページを検索し、ＵＲＬを取得できたか否かを判定する（ステップＳ３１０）。図３におけるデータ１の場合、ＵＲＬ検索キーワード１、ＵＲＬ検索キーワード２として、それぞれ「お客様情報」、「明細情報」が設定されているので、まずＵＲＬ検索キーワード１の「お客様情報」を使ってＷｅｂページを検索する。
【００５２】
ＵＲＬを取得できない場合は（ステップＳ３１０：Ｎｏ）何もせずにこの図に示す処理を完了する。ＵＲＬを取得できた場合は（ステップＳ３１０：Ｙｅｓ）、Ｗｅｂページのキーワード検索で取得したＵＲＬでＷｅｂページデータを取得し（ステップＳ３１１）、自動印刷設定データ１０５２におけるＷｅｂページ情報に設定されているＵＲＬ検索キーワードの次の設定を参照することとし（ステップＳ３１２）、次のキーワード検索に移行する（ステップＳ３０３）。
【００５３】
図３におけるデータ１の場合、ＵＲＬ検索キーワード１の「お客様情報」を使ってＵＲＬを取得できた場合、そのＵＲＬでＷｅｂページデータを取得し、ＵＲＬ検索キーワード２を参照し、次のキーワード検索に移行する。ＵＲＬ検索キーワード２として「明細情報」が設定されているので、ステップＳ３０３からＳ３１０へ進み、「明細情報」を使ってＷｅｂページを検索する。
【００５４】
そして、「明細情報」を使ってＵＲＬを取得できない場合は（ステップＳ３１０：Ｎｏ）何もせずにこの図に示す処理を完了する。ＵＲＬを取得できた場合は（ステップＳ３１０：Ｙｅｓ）、Ｗｅｂページのキーワード検索で取得したＵＲＬでＷｅｂページデータを取得し（ステップＳ３１１）、ＵＲＬ検索キーワード３を参照することとし（ステップＳ３１２）、次のキーワード検索に移行する（ステップＳ３０３）。ＵＲＬ検索キーワード３は設定されていないので、ステップＳ３０３からＳ３０４に進み、Ｗｅｂページデータを画像生成手段１０６に渡す。
【００５５】
次のステップＳ３０５では、画像生成手段１０６は、Ｗｅｂページデータから印刷画像を生成し、印刷データ１０５１へ格納する。自動印刷データのアクション指定が「すぐに印刷」の場合は（ステップＳ３０６：Ｙｅｓ）、印刷手段１０７に印刷通知を行うことで、印刷手段１０７によって、印刷データ１０５１へ格納した印刷データを印刷し（ステップＳ３０８）、自動印刷データのステータスに監視停止中：印刷済をセットする（ステップＳ３０９）。自動印刷データのアクション指定が「すぐに印刷」でない場合は（ステップＳ３０６：Ｎｏ）、自動印刷データのステータスに「監視停止中：保存済」をセットする（ステップＳ３０７）。ステップＳ３０９又はステップＳ３０７を実行した後に処理を完了する。
【００５６】
〈印刷開始機能〉
図８は、図１における画像形成装置１の印刷ボタンを示す図であり、図９は、図１における画像形成装置１の印刷開始機能１０８の起動後の処理を示すフローチャートである。画像形成装置１の印刷開始機能１０８は、ユーザが印刷ボタン１０を押下することによって起動される。
【００５７】
印刷開始機能１０８は、データ記憶手段１０５から、自動印刷データ１０５２を一つ取り出し（ステップＳ４０１）、取り出した自動印刷データ１０５２のステータスが「監視停止中：保存済」であるか否かを判定する（ステップＳ４０２）。
【００５８】
判定の結果、「監視停止中：保存済」でない場合は（ステップＳ４０２：Ｎｏ）、そのままステップＳ４０３に移行し、「監視停止中：保存済」の場合は（ステップＳ４０２：Ｙｅｓ）、ステップＳ４０４及びステップＳ４０５を実行した後にステップＳ４０３に移行する。
【００５９】
ステップＳ４０４では、印刷手段１０７によって、印刷データ１０５１へ格納した印刷データの印刷を実行し、ステップＳ４０５では、自動印刷データ１０５２のステータスに「監視停止中：印刷済」をセットする。
【００６０】
ステップＳ４０３では、すべての自動印刷データ１０５２のチェックが完了したか否かを判定し、完了していない場合は（ステップＳ４０３：Ｎｏ）、ステップＳ４０１に移行して次の自動印刷データ１０５２の処理を行う。完了した場合は（ステップＳ４０３：Ｙｅｓ）、この図に示す印刷開始処理を完了する。
【００６１】
以上詳細に説明したように、本発明の第１の実施形態に係る印刷システムは下記（１）〜（４）の特徴を有する。
（１）予め自動印刷データ１０５２に設定したメール検索キーワードを更新通知メールの本文から検索してビリング情報のＷｅｂページのＵＲＬを取得し、Ｗｅｂページデータ（ビリング情報）を取得するので、ビリング情報のＷｅｂページのＵＲＬが変更されても、そのＷｅｂページを自動的に印刷することができる。
（２）更新通知メールに表記されているＵＲＬがポータルなＷｅｂページのＵＲＬの場合、予め自動印刷データ１０５２に設定したＷｅｂページ検索キーワードをポータルなＷｅｂページから検索してビリング情報のＷｅｂページのＵＲＬを取得し、Ｗｅｂページデータ（ビリング情報）を取得することができる。
（３）ビリング情報のＷｅｂページのログインに必要な情報（ログインアカウント）を設定することにより、ビリング情報を得るために必要なログイン処理を自動的に行える。
（４）取得したビリング情報をすぐに印刷するか、又はユーザの指示に応じて印刷するかを設定することにより、ビリング情報を印刷したまま放置する事態の発生を防止することができる。
【００６２】
［第２の実施形態］
〈印刷システムの概略構成〉
図１０は、本発明の第２の実施形態に係る印刷システムの概略構成について説明するための図である。この図において、図１（第１の実施形態）と同じ部分には図１と同じ参照符号が付されている。
【００６３】
本実施形態に係る印刷システムは、情報処理装置としてのドキュメントサーバ６及び画像処理装置としての画像形成装置７からなる。画像形成装置７は無線通信によりスマートデバイス８と接続され、ドキュメントサーバ６とはＬＡＮなどの通信媒体３を介して接続される。また、ドキュメントサーバ６はインターネット網４を介してインターネットサーバ５と接続される。
【００６４】
〈印刷システムの構成〉
図１１は、本発明の第２の実施形態に係る印刷システムの構成について説明するためのブロック図である。
【００６５】
ドキュメントサーバ６は、メール監視手段６０１、時計機能６０２、ＨＴＭＬデータ取得手段６０３、画像生成手段６０４、データ記憶手段６０５、認証手段６０６、自動印刷設定ソフト６０７、基本ソフト６０８、インターフェース６０９、及びメール送信手段６１０で構成されている。
【００６６】
画像形成装置７は、無線通信機能７０１、印刷開始機能７０２、印刷手段７０３、インターフェース７０４で構成されている。スマートデバイス８は認証アプリ８０１、認証データ記憶部８０２、無線通信手段８０３、メール管理アプリ８０４、及びメール送受信手段８０５で構成されている。
【００６７】
自動印刷設定ソフト６０７は自動印刷一覧画面６０７１、自動印刷設定画面６０７２から構成される。自動印刷一覧画面６０７１は設定済みの自動印刷設定一覧をドキュメントサーバ６の操作パネル（図示せず）に表示するユーザインターフェースであり、自動印刷設定画面６０７２は新規の設定および編集を行うユーザインターフェースである。自動印刷設定画面６０７２の設定データはドキュメントサーバ６のデータ記憶手段６０５内に自動印刷データ６０５２として格納される。
【００６８】
メール監視手段６０１は自動印刷データ６０５２の設定内容に従って更新通知メールの監視を行う。メール監視手段６０１は時計機能６０２より時刻を取得し、自動印刷データ６０５２に設定されたメールチェック時刻が経過していたら、インターフェース６０９、通信媒体３、及びインターネット網４を経由してインターネットサーバ５のメールをチェックする。チェックの結果、受信メールが自動印刷データ６０５２で指定した条件の更新通知メールだったら、自動印刷データ６０５２で指定されている、更新通知メールからビリング情報ＵＲＬを探すためのＵＲＬ検索キーワード（メール検索キーワード）を取得する。そして、このキーワードを使用して更新通知メールのキーワード検索を行い、キーワードに一致するＵＲＬを更新通知メールから取得し、このＵＲＬを使用してＨＴＭＬデータ取得手段６０３にＷｅｂページ取得要求を通知する。
【００６９】
ＨＴＭＬデータ取得手段６０３は、更新通知メールから取得したＵＲＬによって、インターフェース６０９、通信媒体３、及びインターネット網４を経由してインターネットサーバ５からＷｅｂページデータを取得して、画像生成手段６０４へ渡す。
【００７０】
更新通知メールに表記してあるＵＲＬがビリング情報への直接的なＵＲＬではなくポータルなＷｅｂページのＵＲＬの場合は、Ｗｅｂページからビリング情報のＷｅｂページのＵＲＬを探すためのＵＲＬ検索キーワード（Ｗｅｂページ検索キーワード）が自動印刷データ６０５２に設定されているので、このキーワードを使用する。
【００７１】
即ち、Ｗｅｂページ検索キーワードを自動印刷データ６０５２から取得し、このキーワードを使用して、ポータルなＷｅｂページのキーワード検索を行い、キーワードに一致するＵＲＬをポータルなＷｅｂページから取得し、このＵＲＬを有するＷｅｂページからＷｅｂページデータを取得し、画像生成手段６０４へ渡す。
【００７２】
画像生成手段６０４は印刷データを生成してデータ記憶手段６０５へ印刷データ６０５１を格納し、メール送信手段６１０へ、印刷通知を行う。
【００７３】
メール送信手段６１０は印刷通知を受け取ったら、自動印刷データ６０５２から印刷通知メールのアドレスを取得し、インターフェース６０９、通信媒体３、及びインターネット網４を介して、スマートデバイス８へ印刷通知メールを送信する。
【００７４】
外部の携帯無線通信端末としてのスマートデバイス８はドキュメントサーバ６から送信された印刷通知メールをメール送受信手段８０５によって受信する。スマートデバイス８のユーザはメール管理アプリ８０４を使用して印刷通知メールを確認し、画像形成装置７の近くへ移動し、認証アプリ８０１を起動する。認証アプリ８０１は無線通信手段８０３を使って画像形成装置７と無線通信を行い、認証データ記憶部８０２に保持されている認証データを画像形成装置７へ送る。
【００７５】
画像形成装置７は、無線通信機能７０１を介してスマートデバイス８から認証データを受信し、インターフェース７０４、通信媒体３を介してドキュメントサーバ６へ認証データを送る。
【００７６】
ドキュメントサーバ６の認証手段６０６は認証データを受信し、データ記憶手段６０５に保持されている認証データ６０５３と比較し、認証データが一致（認証成功）していたら、通信媒体３を介して画像形成装置７へ印刷指示及び印刷データ６０５１を送る。
【００７７】
画像形成装置７の印刷開始機能７０２は、ドキュメントサーバ６から印刷指示及び印刷データ６０５１を受け取ったら、印刷手段７０３へ印刷指示及び印刷データを送る。印刷手段７０３は、印刷指示に応じて、印刷データ６０５１を印刷する。
【００７８】
〈自動印刷一覧画面〉
図１２は、図１１における自動印刷設定ソフト６０７の自動印刷一覧画面６０７１を示す図である。
【００７９】
自動印刷一覧画面６０７１は、ドキュメントサーバ６に設定されている自動印刷設定の一覧を表示する。自動印刷一覧６０７１０では、メール送信者、及びステータスの各項目を表示しており、これらの項目は自動印刷データ６０５２の設定内容である。
【００８０】
メール送信者は、メール監視手段６０１がメールをチェックするときの識別条件として使用する、メール送信者の設定状態を示している。ステータスは、メールの監視状態を示している。監視起動中は、更新通知メールの監視が継続されていることを示している。監視停止中は、指定された更新通知メールの着信を判断して、メールの監視が停止していることを示しており、さらに取得したＷｅｂページの印刷済またはデータ保存済の状態を示している。
【００８１】
新規ボタン６０７１１によって、自動印刷設定画面６０７２（図１３）を表示して、新規の自動印刷データの入力が行える。編集ボタン６０７１２によって、自動印刷設定画面６０７２に該当行の設定内容が表示され、該当行の選択と編集が行える。閉じるボタン６０７１３によって、自動印刷一覧画面６０７１を終了する。
【００８２】
〈自動印刷設定画面〉
図１３は、図１１における自動印刷設定ソフト６０７の自動印刷設定画面６０７２を示す図である。この図において、「認証データ」以外は図３（第１の実施形態）における自動印刷設定画面２０２における同名の部分と同じであるから、「認証データ」以外の説明を省略する。本実施形態では、図３における「アクション」が無く、代わりに「認証データ」がある。
【００８３】
認証データには、印刷時に個人を特定するための情報が設定される。「氏名」の設定欄６０７２２０はユーザの氏名が設定される。「認証コード」の設定欄６０７２２１は従業員番号が設定される。「メールアドレス」の設定欄６０７２２２はスマートデバイス８のメールアドレスが設定される。
【００８４】
図１４は、図１１における自動印刷設定ソフト６０７により実行される自動印刷設定処理を示すフローチャートであり、図１５は、図１４に示す自動印刷設定処理により設定される自動印刷データを示す図である。この自動印刷設定処理は、自動印刷設定ソフト６０７の自動印刷設定画面６０７２でＯＫボタン６０７２４０が押された時に実行される処理である。
【００８５】
まず、ドキュメントサーバ６のデータ記憶手段６０５内の自動印刷データ６０５２に、データ１の設定内容として「自動印刷設定画面６０７２の設定内容（データ１の設定内容）」６０５２１を保存する（ステップＳ５０１）。次に、このデータ記憶手段６０５内の自動印刷データ６０５２に、データ１の「メールチェック時刻」６０５２２として、現在時刻＋メールチェック間隔６０７２１５をセットする（ステップＳ５０２）。次いで、このデータ記憶手段６０５内の自動印刷データ６０５２に、データ１の「ステータス：監視起動中」６０５２３をセットする（ステップＳ５０３）。
【００８６】
〈メール監視処理〉
図１６は、図１１におけるメール監視手段６０１により実行されるメール監視処理を示すフローチャートである。
【００８７】
まず、メール監視手段６０１は、データ記憶手段６０５から、自動印刷データ６０５２を一つ取り出し（ステップＳ６０１）。次に、取り出した自動印刷データ６０５２のステータスが監視起動中か否かを判定する（ステップＳ６０２）。
【００８８】
判定の結果、監視起動中でない場合は（ステップＳ６０２：Ｎｏ）、ステップＳ６１０に移行する。監視起動中の場合は（ステップＳ６０２：Ｙｅｓ）、時計機能６０２から現在時刻を取得し（ステップＳ６０３）、現在時刻とメールチェック時刻を比較して、現在時刻がメールチェック時刻か否かを判定する（ステップＳ６０４）。
【００８９】
現在時刻がメールチェック時刻でない場合は（ステップＳ６０４：Ｎｏ）、ステップＳ６１０に移行する。現在時刻がメールチェック時刻の場合は（ステップＳ６０４：Ｙｅｓ）、メールを取得し（ステップＳ６０５）、取得したメールが自動印刷データ６０５２に設定されたメールルールと一致するか否かを判定する（ステップＳ６０６）。
【００９０】
判定の結果、一致しない場合は（ステップＳ６０６：Ｎｏ）、メールチェック時刻として、現在時刻＋メールチェック間隔６０７２１５を再度セットし（ステップＳ６０７）、ステップＳ６１０に移行する。一致した場合は（ステップＳ６０６：Ｙｅｓ）、メール検索キーワードからＵＲＬを取得できたか否かを判定する（ステップＳ６０８）。
【００９１】
判定の結果、キーワード検索によってＵＲＬを取得ができない場合は（ステップＳ６０８：Ｎｏ）、メールチェック時刻として、現在時刻＋メールチェック間隔６０７２１５を再度セットし（ステップＳ６０７）、ステップＳ６１０に移行する。取得ができた場合は（ステップＳ６０８：Ｙｅｓ）、ＨＴＭＬデータ取得手段６０３に、データ取得要求を通知し（ステップＳ６０９）、ステップＳ６１０に移行する。
【００９２】
ステップＳ６１０では、全ての自動印刷データのチェックが完了したか否かを判定し、完了していない場合は（ステップＳ６１０：Ｎｏ）、ステップＳ６０１に移行して次の自動印刷データの処理を行う。完了した場合は（ステップＳ６１０：Ｙｅｓ）、この図に示すメール監視処理を完了する。
【００９３】
〈ＨＴＭＬデータ取得及び画像生成処理〉
図１７は、図１１におけるＨＴＭＬデータ取得手段６０３及び画像生成手段６０４により実行されるＨＴＭＬデータ取得及び画像生成処理を示すフローチャートである。
【００９４】
まず、メール監視手段６０１からのＨＴＭＬ取得要求が有るか否かを判定する（ステップＳ７０１）。判定の結果、ＨＴＭＬ取得要求がない場合は（ステップＳ７０１：Ｎｏ）、何もせずに処理を完了し、ＨＴＭＬ取得要求があった場合は（ステップＳ７０１：Ｙｅｓ）、ステップＳ７０２に進む。
【００９５】
ステップＳ７０２では、ＨＴＭＬデータ取得手段６０３は、ＨＴＭＬ取得要求で指定されたメールからのキーワード検索で取得したＵＲＬでＷｅｂページデータを取得する（ステップＳ７０２）。
【００９６】
次に、ＨＴＭＬデータ取得手段６０３は、自動印刷データ６０５２の「Ｗｅｂページ情報」にＵＲＬ検索キーワード（Ｗｅｂページ検索キーワード）が設定されているか否かを判定する（ステップＳ７０３）。判定の結果、設定されていない場合は（ステップＳ７０３：Ｎｏ）、ステップＳ７０２で取得したＷｅｂページデータがポータルなＷｅｂページのＷｅｂページデータではなくビリング情報のＷｅｂページのＷｅｂページデータであるため、このＷｅｂページデータを画像生成手段６０４に渡し、印刷処理に移行する（ステップＳ７０４）。
【００９７】
設定されている場合は（ステップＳ７０３：Ｙｅｓ）、ステップＳ７０２で取得したＷｅｂページデータがビリング情報のＷｅｂページのＷｅｂページデータではなくポータルなＷｅｂページのＷｅｂページデータであるため、Ｗｅｂページ検索キーワードを使ってＷｅｂページを検索し、ＵＲＬを取得できたか否かを判定する（ステップＳ７０８）。図１３におけるデータ１の場合、ＵＲＬ検索キーワード１、ＵＲＬ検索キーワード２として、それぞれ「お客様情報」、「明細情報」が設定されているので、まずＵＲＬ検索キーワード１の「お客様情報」を使ってＷｅｂページを検索する。
【００９８】
ＵＲＬを取得できない場合は（ステップＳ７０８：Ｎｏ）何もせずにこの図に示す処理を完了する。ＵＲＬを取得できた場合は（ステップＳ７０８：Ｙｅｓ）、Ｗｅｂページのキーワード検索で取得したＵＲＬでＷｅｂページデータを取得し（ステップＳ７０９）、自動印刷設定データ６０５２におけるＷｅｂページ情報に設定されているＵＲＬ検索キーワードの次の設定を参照することとし（ステップＳ７１０）、次のキーワード検索に移行する（ステップＳ７０３）。
【００９９】
図１３におけるデータ１の場合、「お客様情報」を使ってＵＲＬを取得できた場合、そのＵＲＬでＷｅｂページデータを取得し、ＵＲＬ検索キーワード２を参照し、次のキーワード検索に移行する。ＵＲＬ検索キーワード２として「明細情報」が設定されているので、ステップＳ７０３からＳ７０８へ進み、「明細情報」を使ってＷｅｂページを検索する。
【０１００】
そして、「明細情報」を使ってＵＲＬを取得できない場合は（ステップＳ７０８：Ｎｏ）何もせずにこの図に示す処理を完了する。ＵＲＬを取得できた場合は（ステップＳ７０８：Ｙｅｓ）、Ｗｅｂページのキーワード検索で取得したＵＲＬでＷｅｂページデータを取得し（ステップＳ７０９）、ＵＲＬ検索キーワード３を参照することとし（ステップＳ７１０）、次のキーワード検索に移行する（ステップＳ７０３）。ＵＲＬ検索キーワード３は設定されていないので、ステップＳ７０３からＳ７０４に進み、Ｗｅｂページデータを画像生成手段６０４に渡す。
【０１０１】
次のステップＳ７０５では、画像生成手段６０４は、Ｗｅｂページデータから印刷画像を生成し、印刷データ６０５１へ格納する。次に、画像生成手段６０４は、自動印刷データのステータスに監視停止中：保存済をセットする（ステップＳ７０６）。次に、画像生成手段６０４は、自動印刷データ６０５２から認証データのメールアドレス６０７２２を取得し、印刷通知メールを送信し（ステップＳ７０７）、この図に示す処理を完了する。
【０１０２】
〈スマートデバイスを使用した印刷フロー〉
図１８は、図１１におけるスマートデバイス８を使用した印刷フローを示すフローチャートである。
【０１０３】
まず、スマートデバイス８のメール送受信手段８０５はドキュメントサーバ６からの印刷通知メールを受信する（ステップＳ８０１）。印刷通知メールはメール管理アプリ８０４によりスマートデバイス８のディスプレイやスピーカ（図示せず）に報知される。
【０１０４】
印刷者（スマートデバイス８のユーザ）は印刷通知メールを確認したら、印刷物を受け取るために画像形成装置７に近づき、認証アプリ８０１を起動する（ステップＳ８０２）。認証アプリ８０１は認証データ記憶部８０２に記憶されている認証データを、無線通信手段８０３を介して画像形成装置７へ送信する（ステップＳ８０３）。
【０１０５】
画像形成装置７は無線通信機能７０１を介してスマートデバイス８からの認証データを受信し、インターフェース７０４及び通信媒体３を介してドキュメントサーバ６へ送る（ステップＳ８０４）。
【０１０６】
ドキュメントサーバ６では、画像形成装置７からの認証データがインターフェース６０９及び基本ソフト６０８を介して認証手段６０６へ送られる。認証手段６０６は認証データを受信し、データ記憶手段６０５に保持されている認証データ６０５３と比較する。そして、両者が一致（認証成功）していたら、通信媒体３を介して画像形成装置７へ印刷指示及び印刷データ６０５１を送る（ステップＳ８０５）。次に、認証手段６０６は自動印刷データ６０５２のステータスに「監視停止中：印刷済」をセットする（ステップＳ８０６）。
【０１０７】
画像形成装置７の印刷開始機能７０２は、ドキュメントサーバ６からの印刷指示および印刷データ６０５１を受け取ったら、印刷手段７０３へ印刷指示及び印刷データ６０５１を送る。印刷手段７０３は、印刷指示に応じて、印刷データ６０５１を印刷する（ステップＳ８０７）。
【０１０８】
以上詳細に説明したように、本発明の第２の実施形態に係る印刷システムは下記（１）〜（４）の特徴を有する。
（１）予め自動印刷データ６０５２に設定したメール検索キーワードを更新通知メールの本文から検索してビリング情報のＷｅｂページのＵＲＬを取得し、Ｗｅｂページデータ（ビリング情報）を取得するので、ビリング情報のＷｅｂページのＵＲＬが変更されても、そのＷｅｂページを自動的に印刷することができる。
（２）更新通知メールに表記されているＵＲＬがポータルなＷｅｂページのＵＲＬの場合、予め自動印刷データ６０５２に設定したＷｅｂページ検索キーワードをポータルなＷｅｂページから検索してビリング情報のＷｅｂページのＵＲＬを取得し、Ｗｅｂページデータ（ビリング情報）を取得することができる。
（３）ビリング情報のＷｅｂページのログインに必要な情報（ログインアカウント）を設定することにより、ビリング情報を得るために必要なログイン処理を自動的に行える。
（４）ビリング情報を取得したことをスマートデバイス８にメールで通知し、スマートデバイス８の認証が成功したときに印刷を行うことにより、印刷者が画像形成装置７から離れていてもビリング情報を取得できるので、ビリング情報を印刷したまま放置する事態の発生を防止することができる。
【符号の説明】
【０１０９】
１，７…画像形成装置、２…コンピュータ、６…ドキュメントサーバ、８…スマートデバイス、１０１，６０１…メール監視手段、１０４，６０３…ＨＴＭＬデータ取得手段、１０７，７０３…印刷手段、１０８，７０２…印刷開始機能、６０６…認証手段。
【先行技術文献】
【特許文献】
【０１１０】
【特許文献１】特開２０１２−０６３８１２号公報
【図１】
2014211712.tif 000003
【図２】
2014211712.tif 000004
【図３】
2014211712.tif 000005
【図４】
2014211712.tif 000006
【図５】
2014211712.tif 000007
【図６】
2014211712.tif 000008
【図７】
2014211712.tif 000009
【図８】
2014211712.tif 000010
【図９】
2014211712.tif 000011
【図１０】
2014211712.tif 000012
【図１１】
2014211712.tif 000013
【図１２】
2014211712.tif 000014
【図１３】
2014211712.tif 000015
【図１４】
2014211712.tif 000016
【図１５】
2014211712.tif 000017
【図１６】
2014211712.tif 000018
【図１７】
2014211712.tif 000019
【図１８】
2014211712.tif 000020